(57)【要約】【課題】ブラシ及びダストボックスが往復移動するときに、ブラシに付着した塵埃がエアフィルタへ移ることを抑制することができるエアフィルタ掃除装置、及びこれを備えた投写型映像表示装置を提供する。【解決手段】エアフィルタ掃除装置としてのエアフィルタ装置は、塵埃を捕捉するエアフィルタと、エアフィルタを掃除するブラシ４５と、ブラシ４５に付着した塵埃を溜めるダストボックスと、ブラシ４５を回転させる回転軸４３と、回転軸４３の回転によってブラシ４５及びダストボックスを推進させる推進機構としてのピニオン４３Ａ，４３Ｂとを備え、ブラシ４５がワンウェイクラッチ４４を介して回転軸４３に接続されている。【選択図】図７
2011255300.tif 000002
【特許請求の範囲】
【請求項１】
塵埃を捕捉するエアフィルタと、
エアフィルタを掃除するブラシと、
前記ブラシに付着した塵埃を溜めるダストボックスと、
前記ブラシを回転させる回転軸と、
前記回転軸の回転によって前記ブラシ及び前記ダストボックスを推進させる推進機構とを備え、
前記ブラシがワンウェイクラッチを介して前記回転軸に接続されている
ことを特徴とするエアフィルタ掃除装置。
【請求項２】
前記推進機構として前記回転軸に設けられた歯車を備えることを特徴とする請求項１に記載のエアフィルタ掃除装置。
【請求項３】
前記ワンウェイクラッチは、前記回転軸に接続される回転軸側の機械要素と、この機械要素と前記ブラシとに接触させて設けられる転動体とを備え、
前記回転軸が一方の方向に回転するときに、前記回転軸側の機械要素と前記ブラシとの間に、前記転動体がくさびとして設けられ、
前記回転軸が反対の方向に回転するときに、前記回転軸側の機械要素と前記ブラシとに接触して転がるように前記転動体が設けられている
ことを特徴とする請求項１または２に記載のエアフィルタ掃除装置。
【請求項４】
前記ブラシ及び前記ダストボックスが設けられるケースを備え、
前記ケースには前記回転軸を回転させるモータが設けられている
ことを特徴とする請求項１〜３のいずれか一項に記載のエアフィルタ掃除装置。
【請求項５】
前記ダストボックスは、前記ケースに対して着脱可能に構成されていることを特徴とする請求項４に記載のエアフィルタ掃除装置。
【請求項６】
前記ダストボックスには、前記ブラシに付着している埃を除去する除塵体が設けられていることを特徴とする請求項５に記載のエアフィルタ掃除装置。
【請求項７】
前記除塵体は、前記ダストボックス内に向けて設けられる表面を有し、
前記ワンウェイクラッチは、前記回転軸の回転力を、前記ブラシに付着している埃を前記表面に運搬する方向に回転させる回転力として前記ブラシに伝達する
ことを特徴とする請求項６に記載のエアフィルタ掃除装置。
【請求項８】
前記ケースに対して前記ダストボックスが装着されている状態においては、前記ブラシが前記ダストボックスの一部により覆われ、
前記ケースから前記ダストボックスが取り外された状態においては、前記ブラシが露出する
ことを特徴とする請求項５〜７のいずれか一項に記載のエアフィルタ掃除装置。
【請求項９】
請求項１〜８のいずれか一項に記載のエアフィルタ掃除装置を備えることを特徴とする投写型映像表示装置。
【発明の詳細な説明】
【技術分野】
【０００１】
本願発明は、エアフィルタを掃除するブラシを備えたエアフィルタ掃除装置、及びこれを備えた投写型映像表示装置に関する。
【背景技術】
【０００２】
一般的に、投写型映像表示装置であるプロジェクタの筐体に、筐体の内部へ流入しようとする空気中の塵埃を捕捉するエアフィルタを設けることが知られている。また、所定の直線方向に往復移動してエアフィルタを掃除するブラシを備えたプロジェクタが開示されている（例えば、特許文献１参照）。
【０００３】
また、ブラシを回転させる回転軸の回転によって、エアフィルタを掃除するブラシとブラシに付着した塵埃を溜めるダストボックスとを推進させる推進機構を有するエアフィルタ掃除装置が知られている。例えば特許文献２には、このような装置を内蔵した空気調和機が開示されている。
【先行技術文献】
【特許文献】
【０００４】
【特許文献１】特開２００７−１５６１８６号公報
【特許文献２】特開２００９−８２８３７号公報
【発明の概要】
【発明が解決しようとする課題】
【０００５】
エアフィルタが掃除されることによってブラシに付着した塵埃は、ブラシの掃除能力が低下しないように、ブラシから除去されることが好ましい。さらに、ブラシから除去された塵埃は、筐体の内部へ再度流入しようとしないように、ダストボックスに溜められることが好ましい。
【０００６】
しかしながら、ブラシを回転させる回転軸の回転によってブラシ及びダストボックスを推進させる構成において、回転軸とブラシとが連結されていれば、ブラシ及びダストボックスを往復移動させるときに、ブラシの回転方向も変化する。従って、直線方向の一方にブラシ及びダストボックスを推進させる場合には、ダストボックスに塵埃が溜まる方向にブラシが回転するように構成されていても、直線方向の他方にブラシ及びダストボックスを推進させる場合には、ダストボックスに塵埃が溜まる方向にブラシが回転しない。このようにダストボックスに塵埃が溜まる方向と反対の方向にブラシが回転すれば、ブラシに付着した塵埃がダストボックスに溜まらずに、ブラシからエアフィルタへ塵埃が移るおそれがある。
【０００７】
本発明は、こうした実情に鑑みてなされたものであり、その目的は、ブラシ及びダストボックスが往復移動するときに、ブラシに付着した塵埃がエアフィルタへ移ることを抑制することができるエアフィルタ掃除装置、及びこれを備えた投写型映像表示装置を提供することにある。
【課題を解決するための手段】
【０００８】
以下、上記目的を達成するための手段及びその作用効果について記載する。
請求項１に記載の発明は、塵埃を捕捉するエアフィルタと、エアフィルタを掃除するブラシと、前記ブラシに付着した塵埃を溜めるダストボックスと、前記ブラシを回転させる回転軸と、前記回転軸の回転によって前記ブラシ及び前記ダストボックスを推進させる推進機構とを備え、前記ブラシがワンウェイクラッチを介して前記回転軸に接続されていることを特徴とする。
【０００９】
上記構成によれば、ブラシを回転させる回転軸の回転によって、ブラシ及びダストボックスが推進する。そして、ブラシがワンウェイクラッチを介して回転軸に接続されているため、所定の方向への回転力を回転軸からブラシに伝達させて、反対の方向への回転力を回転軸からブラシに伝達させないようにすることが可能である。即ち、回転軸が一方の方向に回転すると、回転軸の回転力が、推進機構に伝達されるとともに、さらに、ワンウェイクラッチを介してブラシに伝達され、回転軸が反対の方向に回転すると、回転軸からブラシへの回転力の伝達がワンウェイクラッチにより切断されるように構成することが可能である。従って、回転軸が所定の方向及び反対の方向に回転してブラシ及びダストボックスが往復移動するときであっても、回転軸からブラシへの回転力の伝達がワンウェイクラッチにより切断されることによって、ダストボックスに塵埃が溜まらない方向にブラシを回転させないようにすることができる。よって、ブラシに付着した塵埃がエアフィルタへ移ることを抑制することができる。
【００１０】
請求項２に記載の発明は、請求項１に記載のエアフィルタ掃除装置であって、前記推進機構として前記回転軸に設けられた歯車を備えることを特徴とする。
上記構成によれば、投写型映像表示装置は、推進機構として回転軸に設けられた歯車を備えている。従って、回転軸に設けられた歯車を、例えばブラシを推進させる方向に沿って設けられたラックに噛み合わせたピニオンとして、回転軸の回転力が歯車に伝達されることにより、ラックに沿ってブラシとダストボックスとを推進させることができる。
【００１１】
請求項３に記載の発明は、請求項１または２に記載のエアフィルタ掃除装置であって、前記ワンウェイクラッチは、前記回転軸に接続される回転軸側の機械要素と、この機械要素と前記ブラシとに接触させて設けられる転動体とを備え、前記回転軸が一方の方向に回転するときに、前記回転軸側の機械要素と前記ブラシとの間に、前記転動体がくさびとして設けられ、前記回転軸が反対の方向に回転するときに、前記回転軸側の機械要素と前記ブラシとに接触して転がるように前記転動体が設けられていることを特徴とする。
【００１２】
上記構成によれば、回転軸が一方の方向に回転するときには、ワンウェイクラッチを構成する回転軸側の機械要素とブラシとの間にくさびとして設けられた転動体を介して、回転軸の回転力がブラシに伝達される。また、回転軸が反対の方向に回転するときに、回転軸側の機械要素とブラシと接触して転動体が転がることによって、回転軸からブラシへの回転力の伝達が切断される。
【００１３】
請求項４に記載の発明は、請求項１〜３のいずれか一項に記載のエアフィルタ掃除装置であって、前記ブラシ及び前記ダストボックスが設けられるケースを備え、前記ケースには前記回転軸を回転させるモータが設けられていることを特徴とする。
【００１４】
上記構成によれば、ブラシ及びダストボックスが設けられるケースには、回転軸を回転させるモータが設けられている。このため、ケースに設けられたモータにより、ブラシとダストボックスをケースとともに推進させることができる。
【００１５】
請求項５に記載の発明は、請求項４に記載のエアフィルタ掃除装置であって、前記ダストボックスは、前記ケースに対して着脱可能に構成されていることを特徴とする。
上記構成によれば、ダストボックスはケースに対して着脱可能であるため、ダストボックス内をメンテナンスする場合には、ケースからダストボックスを取り外して容易にメンテナンスを行うことが可能である。
【００１６】
請求項６に記載の発明は、請求項５に記載のエアフィルタ掃除装置であって、前記ダストボックスには、前記ブラシに付着している埃を除去する除塵体が設けられていることを特徴とする。
【００１７】
上記構成によれば、ダストボックスには、ブラシに付着している埃を除去する除塵体が設けられている。このため、除塵体によりブラシから埃が除去されることにより、ダストボックスに効率よく塵埃を溜めることができる。
【００１８】
請求項７に記載の発明は、請求項６に記載のエアフィルタ掃除装置であって、前記除塵体は、前記ダストボックス内に向けて設けられる表面を有し、前記ワンウェイクラッチは、前記回転軸の回転力を、前記ブラシに付着している埃を前記表面に運搬する方向に回転させる回転力として前記ブラシに伝達することを特徴とする。
【００１９】
上記構成によれば、回転軸の回転力が、ブラシに付着している埃をダストボックス内に向けて設けられる除塵体の表面に運搬する方向に回転させる回転力としてブラシに伝達される。従って、回転軸の回転力が伝達されたブラシは、ブラシに付着している埃をダストボックス内に向けて設けられる除塵体の表面に運搬する方向に回転するため、ブラシから除去された埃は、除塵体の表面に沿ってダストボックス内に流入する。
【００２０】
請求項８に記載の発明は、請求項５〜７のいずれか一項に記載のエアフィルタ掃除装置であって、前記ケースに対して前記ダストボックスが装着されている状態においては、前記ブラシが前記ダストボックスの一部により覆われ、前記ケースから前記ダストボックスが取り外された状態においては、前記ブラシが露出することを特徴とする。
【００２１】
上記構成によれば、ケースに対してダストボックスが装着されている状態においては、ブラシがダストボックスの一部により覆われるため、ブラシに付着した塵埃が、ケースの外部へ流出することを抑制することができる。また、ケースからダストボックスが取り外された状態においては、ブラシが露出するため、ダストボックスをケースから取り外すことにより、ブラシのメンテナンスを容易に行うことができる。
【００２２】
請求項９に記載の発明は、請求項１〜８のいずれか一項に記載のエアフィルタ掃除装置を備えることを特徴とする。
上記構成によれば、請求項１〜８のいずれか一項に記載のエアフィルタ掃除装置を備えているため、上記発明と同様の効果を得ることができる。
【発明の効果】
【００２３】
本発明によれば、ブラシ及びダストボックスが往復移動するときに、ブラシに付着した塵埃がエアフィルタへ移ることを抑制することができる。
【図面の簡単な説明】
【００２４】
【図１】（ａ）（ｂ）本発明の一実施形態に係る投写型映像表示装置の斜視図。
【図２】同実施形態に係る投写型映像表示装置が備える光学系を示す構成図。
【図３】同実施形態に係る投写型映像表示装置の側面図。
【図４】同実施形態に係るエアフィルタ掃除装置の斜視図。
【図５】同実施形態に係るエアフィルタ掃除装置の平面図。
【図６】同実施形態に係るエアフィルタ掃除装置が備える掃除ユニットの分解斜視図。
【図７】同実施形態に係るエアフィルタ掃除装置の駆動機構を示す模式的な平面図。
【図８】同実施形態に係るエアフィルタ掃除装置が備えるワンウェイクラッチの内部構造を示す模式的な断面図。
【図９】同実施形態に係る掃除ユニットが備えるダストボックスを展開した状態を示す斜視図。
【図１０】同実施形態に係る掃除ユニットが一方に移動するときのブラシの回転方向を示す模式的な断面図。
【図１１】同実施形態に係る掃除ユニットが他方に移動するときのブラシの回転態様を示す模式的な断面図。
【図１２】（ａ）（ｂ）同実施形態に係る掃除ユニットにおいて、ブラシがワンウェイクラッチを介さずに回転軸に接続されているときに、ブラシの回転する方向を示す模式的な断面図。
【発明を実施するための形態】
【００２５】
以下、本発明を具体化した一実施形態について図面を参照しながら説明する。
図１（ａ）及び（ｂ）に示すように、プロジェクタ１は、電子部品や光学部品を内蔵する筐体１０を備えている。プロジェクタ１は、スクリーンや壁等の平面上に映像を投写して表示する投写型映像表示装置である。以下、プロジェクタ１が映像の光を投射する方向を前後方向における前方とする。また、プロジェクタ１を水平面（図示略）に設置したときに、水平面に平行な方向であって前後方向に直交する方向を左右方向とする。
【００２６】
図２及び図３に示すように、プロジェクタ１は映像を表示するための光学系２を筐体１０内に備えている。筐体１０の内部には、光学系２を構成する光学部品として、映像表示用の光源であるランプ２１ａ，２１ｂ，２１ｃ，２１ｄと、白色光を赤・緑・青の三原色の光に分離するダイクロイックミラー２６ｒ，２６ｂと、三原色の光に対応した液晶ライトバルブ２７ｒ，２７ｇ，２７ｂとが設けられている。
【００２７】
超高圧水銀ランプやメタルハライドランプ等の放電ランプにより構成されるランプ２１ａ，２１ｂ，２１ｃ，２１ｄの各々は、白色光を光軸方向に平行な平行光として発する。図２において、一点鎖線Ｌ１は、ランプ２１ａ，２１ｂの光軸Ｌ１であって、一点鎖線Ｌ２は、ランプ２１ｃ，２１ｄの光軸Ｌ２である。２つのランプ２１ａ，２１ｂが左右方向において対向するように配置されるとともに、２つのランプ２１ｃ，２１ｄが左右方向において対向するように配置されている。従って、本実施形態においては、左右方向がランプ２１ａ，２１ｂ，２１ｃ，２１ｄの光軸方向（光軸Ｌ１，Ｌ２に平行な方向）である。
【００２８】
なお、前方または後方から見て光軸Ｌ１と光軸Ｌ２とが重ならないようにランプ２１ａ，２１ｂ，２１ｃ，２１ｄが設けられている。即ち、具体的には、図３に示すように、ランプ２１ａ，２１ｂは、ランプ２１ｃ，２１ｄに比べて、筐体１０の底面１０ｅ側に設けられている。筐体１０が有する底面１０ｅは、プロジェクタ１が水平面に設置されたときに、その水平面と対向する面である。
【００２９】
ランプ２１ａ，２１ｂ，２１ｃ，２１ｄの各々が発する光は、全反射ミラー２２により液晶ライトバルブ２７ｒ，２７ｇ，２７ｂに導かれる。このとき、光が液晶ライトバルブ２７ｒ，２７ｇ，２７ｂに入射するまでに、一対のフライアイレンズにより構成されるインテグレータレンズ２３によって照度分布の均一化が図られるとともに、偏光変換素子２４によって偏光方向が所定方向に揃えられる。また、集光レンズ２５によって光束が収束されて液晶ライトバルブ２７ｒ，２７ｇ，２７ｂに光が入射するように構成されている。
【００３０】
ランプ２１ａ，２１ｂ，２１ｃ，２１ｄが発する白色光は、赤色の波長の光が透過するダイクロイックミラー２６ｒと、青色の波長の光が透過するダイクロイックミラー２６ｂとにより、赤色の波長の光（以下、「赤色光」）と緑色の波長の光（以下、「緑色光」）と青色の波長の光（以下、「青色光」）とに分離される。
【００３１】
白色光から分離された赤色光は液晶ライトバルブ２７ｒに入射する。液晶ライトバルブ２７ｒは、画像を構成する画素毎に光の透過率が変更可能なライトバルブであって、液晶パネルや偏光板（いずれも図示略）を含んでいる。液晶ライトバルブ２７ｒに入射した赤色光が、液晶ライトバルブ２７ｒを透過することによって赤色の映像が生成される。
【００３２】
白色光から分離された緑色光は液晶ライトバルブ２７ｇに入射する。液晶ライトバルブ２７ｇも、液晶ライトバルブ２７ｒと同様に画素毎に光の透過率が変更可能なライトバルブである。液晶ライトバルブ２７ｇに入射した緑色光が、液晶ライトバルブ２７ｇを透過することによって緑色の映像が生成される。
【００３３】
白色光から分離された青色光は液晶ライトバルブ２７ｂに入射する。液晶ライトバルブ２７ｂも、液晶ライトバルブ２７ｒ，２７ｇと同様に画素毎に光の透過率が変更可能なライトバルブである。液晶ライトバルブ２７ｂに入射した青色光が、液晶ライトバルブ２７ｂを透過することによって青色の映像が生成される。
【００３４】
さらに、筐体１０内には、光学系２を構成する光学部品として、三原色の映像の光を合成するクロスダイクロイックプリズム２８と、映像の光を投射するレンズ群を備えた投射レンズ２９とが設けられている。
【００３５】
液晶ライトバルブ２７ｒ，２７ｇ，２７ｂにおいて生成された赤・緑・青の映像の光は、クロスダイクロイックプリズム２８に入射して、クロスダイクロイックプリズム２８において合成されることにより、３色以上のフルカラーの映像が生成される。生成されたフルカラーの映像の光は、クロスダイクロイックプリズム２８から出射されて投射レンズ２９に入射する。
【００３６】
投射レンズ２９は、プロジェクタ１の前方に設けられるスクリーンや壁等の平面に向けて３色以上のフルカラーの映像の光を投射する。このようにしてプロジェクタ１は平面上に映像を表示する。図２において、一点鎖線Ｌ３は、投射レンズ２９の光軸Ｌ３であって、投射レンズ２９は、光軸Ｌ３を中心として映像の光を投射する。図２に示すように、前後方向と左右方向とに直交する方向から見て、投射レンズ２９の光軸Ｌ３は、光軸Ｌ１，Ｌ２に対して垂直である。即ち、光軸Ｌ３と、光軸Ｌ１，Ｌ２とは、互いに異なる方向に平行である。
【００３７】
発光に伴い発熱するランプ２１ａ，２１ｂ，２１ｃ，２１ｄの長寿命化のためには、ランプ２１ａ，２１ｂ，２１ｃ，２１ｄの光軸方向を鉛直方向に向けないようにする必要がある。即ち、光軸Ｌ１，Ｌ２が水平方向に延びるように設けられる必要がある。本実施形態においては、投射レンズ２９の光軸Ｌ３に平行な方向が、ランプ２１ａ，２１ｂ，２１ｃ，２１ｄの光軸Ｌ１，Ｌ２に平行な方向と異なる。このため、光軸Ｌ１，Ｌ２を鉛直方向に延びないように水平方向に平行に設けながら、光軸Ｌ３に平行な方向（投射レンズ２９の光軸方向）を変化させて、種々の平面上に映像を表示することができる。具体的には、例えば、底面１０ｅを水平面または天井と対向するようにプロジェクタ１を設置することにより、スクリーンや壁に映像を表示することが可能であり、底面１０ｅを壁と対向するようにプロジェクタ１を設置することにより、床または天井に映像を表示することが可能である。
【００３８】
以上のように、本実施形態に係るプロジェクタ１は、３板式の液晶プロジェクタであって、一画像を４つの光源により映し出す４灯式の投写型映像表示装置である。プロジェクタ１は、上記光学部品の他にも、液晶ライトバルブ２７ｒ，２７ｇ，２７ｂを構成する液晶パネルを駆動するための電子部品（不図示）や、光学部品及び電子部品を冷却するためのファンである吸気ファン（図示略）を筐体１０内に備えている。
【００３９】
プロジェクタ１は、光学部品等を冷却するための空気を筐体１０の外部から内部へ流入させるとともに、筐体１０の内部へ流入しようとする空気中の塵埃を捕捉するためのエアフィルタ装置３（図１参照）を備えている。以下、筐体１０の内部へ向かう方向を内方とするとともに、この内方と反対側の方向であって筐体１０の外部へ向かう方向を外方として、エアフィルタ装置３を説明する。
【００４０】
図１（ｂ）に示すように、筐体１０の底面１０ｅ側に設けられるエアフィルタ装置３は、筐体１０の前方から引き出されることによって、プロジェクタ１から取り外すことができるように構成されている。即ち、エアフィルタ装置３は、前後方向にスライドさせることによって、プロジェクタ１に対して着脱可能に構成されている。
【００４１】
エアフィルタ装置３は、樹脂材料からなる基材３１を備えている。基材３１には、吸気口である四角形状の開口３１ａが形成されるとともに、この開口３１ａを覆うように静電フィルタ３２が基材３１に設けられている。さらに、基材３１には、静電フィルタ３２と同様に開口３１ａを覆うウレタンフィルタ（図示略）が設けられている。ウレタンフィルタはウレタンにより形成されたエアフィルタである。
【００４２】
断面が波形状の静電フィルタ３２は、静電気を帯電する繊維により構成されたエアフィルタである。弾性変形可能な静電フィルタ３２及び上記ウレタンフィルタは、基材３１に埋め込まれるように設けられ、基材３１から抜け落ちないように基材３１に一体的に形成された突起３１ｂによって移動が規制されている。
【００４３】
図４は、図１（ｂ）に示すエアフィルタ装置３の反対側、即ち筐体１０の外部に向けて設けられる側を図示したエアフィルタ装置３の斜視図である。また、図５は、外方から見た場合のエアフィルタ装置３の平面図である。
【００４４】
図４及び図５に示すように、エアフィルタ装置３は、静電フィルタ３２及び上記ウレタンフィルタよりも外方に設けられたエアフィルタ３４を備えている。塵埃を捕捉するエアフィルタ３４は、格子状に形成された枠部材３４Ａに接着または融着されて設けられている。枠部材３４Ａが基材３１にねじ止めされることによって、エアフィルタ３４が開口３１ａを覆うように基材３１に設けられる。
【００４５】
また、基材３１には、直線状に形成されるとともに外方に向けられた歯を有するギアとして、第１のラック３５と第２のラック３６とがねじ止めにより固定されて設けられている。第１のラック３５は、エアフィルタ３４の前方において、左右方向に延びるように設けられるとともに、第２のラック３６は、エアフィルタ３４の後方において、左右方向に延びるように設けられている。このようにして、一対のラック３５，３６は、エアフィルタ３４を挟むようにして互いに平行に設けられている。
【００４６】
また、基材３１の前側端部には、エアフィルタ装置３がプロジェクタ１に取り付けられたときに、プロジェクタ１が備えるコネクタ（図示略）と接続されるコネクタ３７が設けられている。このコネクタ３７が、プロジェクタ１のコネクタと接続されることにより、プロジェクタ１からエアフィルタ装置３が備える電気部品に電力が供給可能となる。
【００４７】
さらに、基材３１の前側端部には、エアフィルタ装置３がプロジェクタ１に取り付けられたときに筐体１０の表面と段差がない状態（即ち、面一）で設けられるパネル３８が取り付けられている。
【００４８】
エアフィルタ３４等を備えるエアフィルタ装置３がプロジェクタ１に取り付けられることにより、筐体１０にはエアフィルタ３４等により構成される３層のエアフィルタが設けられる。
【００４９】
エアフィルタ装置３は、エアフィルタ３４を自動的に掃除する掃除ユニット４を備えている。即ち、エアフィルタ装置３は、エアフィルタ３４と掃除ユニット４とを備えるエアフィルタ掃除装置である。略直方体状の掃除ユニット４は、エアフィルタ３４を掃除しない状態においては、外方及び内方から見てエアフィルタ３４と重ならない位置に配置されている。
【００５０】
図６は、図４に示す掃除ユニット４が備えるケース４１から、ケース４１にねじ止めにより固定されるダストボックス５及びカバー４６，４７を取り外した状態の分解斜視図である。また、図７は、外方から見たときの掃除ユニット４が有する駆動機構及び一対のラック３５，３６を示す模式的な平面図である。
【００５１】
図６に示すように、掃除ユニット４は、エアフィルタ３４を掃除するブラシ４５、ブラシ４５に付着した埃を溜めるダストボックス５、ブラシ４５およびダストボックス５が設けられるケース４１、ブラシ４５から埃を除去する除塵体６（図９参照）等を備えている。
【００５２】
前後方向に延びて形成されたケース４１の前側端部には、小型の電動モータ４２を収容するモータ収容部４１ａが設けられている。また、ケース４１の左側端部には、ケース４１の前側端部から後側端部にわたって、電動モータ４２によって回転させられる回転軸４３を収容する回転軸収容部４１ｂが設けられている。
【００５３】
また、ケース４１の後側端部には、回転軸４３の回転をブラシ４５に伝達するためのワンウェイクラッチ４４を収容する動力伝達機構収容部４１ｃが設けられている。前側端部に設けられたモータ収容部４１ａと、後側端部に設けられた動力伝達機構収容部４１ｃとは、前後方向において間隔をあけて設けられている。従って、ケース４１内においてモータ収容部４１ａと動力伝達機構収容部４１ｃとの間には空間が形成されている。この空間は、左側端部に設けられた回転軸収容部４１ｂよりも右方に設けられた空間であって、この空間にブラシ４５とダストボックス５とが設けられる。
【００５４】
図６及び図７に示すように、モータ収容部４１ａに収容された電動モータ４２は、掃除ユニット４が備える動力源である。電動モータ４２は、ケース４１にねじ止めされたモータカバー４２Ａ（図６参照）により覆われている。電動モータ４２は、かさ歯車４２ｂが先端に設けられた出力軸４２ａを有している。電気部品である電動モータ４２は、コネクタ３７を介してプロジェクタ１から供給される電力により、かさ歯車４２ｂを回転させる。電動モータ４２が有する出力軸４２ａは、左方へ延びて設けられて、かさ歯車４２ｂは回転軸収容部４１ｂ内に設けられている。
【００５５】
また、モータ収容部４１ａには、電動モータ４２に電力を供給するための配線が形成されたプリント配線板４２Ｂ（図６参照）が収容されている。ケース４１とともに左右方向に移動する電動モータ４２においては、プリント配線板４２Ｂにフィルム状のフレキシブルケーブル（不図示）が接続されることが好ましい。即ち、ケース４１内に設けられた電動モータ４２は、フレキシブルケーブルを介して、基材３１に設けられたコネクタ３７と接続されることが好ましい。
【００５６】
回転軸収容部４１ｂに収容された回転軸４３は、前後方向に延びて設けられた金属材料からなる軸部材である。回転軸４３には、かさ歯車４２ｂと噛み合うかさ歯車４３ａと、ワンウェイクラッチ４４に接続される平歯車４３ｂとが設けられている。従って、電動モータ４２は、かさ歯車４２ｂ，４３ａを介して、回転軸４３を回転させるとともに、回転軸４３の平歯車４３ｂを介して、ワンウェイクラッチ４４に回転力を伝達する。
【００５７】
さらに、回転軸４３の前側端部には、回転体の外周に歯を有するギアとして、樹脂材料からなる第１のピニオン４３Ａが設けられるとともに、回転軸４３の後側端部には、同様に、樹脂材料からなる第２のピニオン４３Ｂが設けられている。第１のピニオン４３Ａは、ケース４１の前方に突出して設けられるとともに、第２のピニオン４３Ｂは、ケース４１の後方に突出して設けられている。第１のピニオン４３Ａは、第１のラック３５と噛み合う。また、第２のピニオン４３Ｂは、第２のラック３６と噛み合う。従って、電動モータ４２は、回転軸４３に設けられてラック３５，３６と噛み合うピニオン４３Ａ，４３Ｂを回転させて、掃除ユニット４を左右方向に移動させる。
【００５８】
かさ歯車４３ａと第１のピニオン４３Ａは、摺動性に優れた１つの樹脂部材４８により形成されている。また、平歯車４３ｂと第２のピニオン４３Ｂも、摺動性に優れた１つの樹脂部材４９により形成されている。かさ歯車４３ａと第１のピニオン４３Ａとの間において樹脂部材４８に設けられた円筒状の中間部がケース４１の前側端部により支持されるとともに、平歯車４３ｂと第２のピニオン４３Ｂとの間において樹脂部材４９に設けられた円筒状の中間部がケース４１の後側端部により支持されている。このようにして、回転軸４３はケース４１により回転可能に支持されている。なお、ケース４１の前側端部及び後側端部以外の部位においても、回転軸４３はケース４１により回転可能に支持されている。
【００５９】
ワンウェイクラッチ４４は、平歯車４３ｂと噛み合う機械要素等により構成された動力伝達機構である。図８に示すように、ワンウェイクラッチ４４の内部には、ブラシ４５を構成する軸部材４５ａが挿入される。図８は、ワンウェイクラッチ４４について図７におけるＢ−Ｂ線矢視断面を示す模式図である。
【００６０】
図８に示すように、ワンウェイクラッチ４４は、外周の一部に平歯車４３ｂと噛み合う歯４４Ａ（図７参照）が設けられたハウジング４４ａと、ハウジング４４ａに対して固定された外輪４４ｂと、外輪４４ｂの内周に設けられたころ４４ｃと、ころ４４ｃを保持する保持器４４ｄと、ころ４４ｃを付勢するばね４４ｅとを備えている。
【００６１】
円筒状のハウジング４４ａは摺動性に優れた樹脂材料からなる。ハウジング４４ａ内に設けられた外輪４４ｂは、炭素鋼等の合金や金属材料からなるとともに、円柱状の転動体であるころ４４ｃも、炭素鋼等の合金や金属材料からなる。
【００６２】
外輪４４ｂは、ワンウェイクラッチ４４内に挿入された軸部材４５ａまでの距離が変化する内周面を有している。この外輪４４ｂの内周面と接触するころ４４ｃは、ばね４４ｅにより、外輪４４ｂと軸部材４５ａとの間にくさびとして設けられるように付勢される。弾性体であるばね４４ｅは、部品点数削減の観点から、炭素鋼等の合金や金属材料からなる保持器４４ｄと一体的に形成されている板ばねにより構成されることが好ましい。
【００６３】
以上のような構成のワンウェイクラッチ４４は、ハウジング４４ａ及び外輪４４ｂが図８中の矢印Ｒ１が示す方向に回転するときに、回転軸４３の回転力が、ハウジング４４ａ及び外輪４４ｂ及びころ４４ｃを介して、ブラシ４５の軸部材４５ａに伝達する。これに対して、ハウジング４４ａ及び外輪４４ｂが図８中の矢印Ｒ２が示す方向に回転するときに、回転軸４３からブラシ４５への回転力の伝達が切断される。
【００６４】
図６及び図７に示すように、ブラシ４５は、金属または樹脂材料からなる軸部材４５ａと、軸部材４５ａの外周において回転する軸部材４５ａの遠心方向に向けて設けられた繊維４５ｂとにより構成されている。ブラシ４５の前後方向における両端部において、軸部材４５ａがケース４１に支持されることによって、ブラシ４５はケース４１により回転可能に支持されている。円筒状の繊維４５ｂは、その一部がケース４１内から内方に突出するように設けられている。従って、掃除ユニット４がエアフィルタ３４と対向して移動しながら、ブラシ４５がエアフィルタ３４の外方側の面に接触することにより、ブラシ４５の繊維４５ｂに塵埃が付着して、エアフィルタ３４が掃除される。回転するブラシ４５に付着した塵埃はダストボックス５内に運搬される。
【００６５】
カバー４６は、ケース４１の前側端部に対してねじ止めにより固定される。カバー４６がケース４１に設けられることにより、ケース４１内の前側端部に設けられる電動モータ４２及びプリント配線板４２Ｂ及びかさ歯車４２ｂ，４３ａが、カバー４６により覆われる。カバー４６がケース４１にねじ止めされることにより、回転軸４３及びブラシ４５の軸部材４５ａはケース４１だけでなくカバー４６によっても回転可能に支持される構成となっている。
【００６６】
カバー４７は、ケース４１の後側端部に対してねじ止めにより固定される。カバー４７がケース４１に設けられることにより、ケース４１内の後側端部に設けられる平歯車４３ｂ及びワンウェイクラッチ４４が、カバー４７により覆われる。カバー４６と同様に、カバー４７がケース４１にねじ止めされることにより、回転軸４３及びブラシ４５の軸部材４５ａはケース４１だけでなくカバー４７によっても回転可能に支持される構成となっている。即ち、ケース４１及びカバー４６，４７が回転軸４３及び軸部材４５ａの軸受けとして機能する。
【００６７】
図９に示すように、ケース４１内に取り付けられるダストボックス５は、内側ケース５Ａと、外側ケース５Ｂとにより構成されている。樹脂材料からなるケース５Ａ，５Ｂは、ダストボックス５が展開するように回動可能に連結されている。
【００６８】
内側ケース５Ａは、ダストボックス５内の空間を形成する壁として、内側壁部５１と右側壁部５２と前側壁部５３と後側壁部５４とを有している。また、内側ケース５Ａは、ケース５Ａ，５Ｂが回動可能に連結されるための軸部５５を有している。
【００６９】
内側壁部５１は、ダストボックス５がケース４１に取り付けられたときに、ダストボックス５において内側に設けられる。内側壁部５１には、ダストボックス５内の空間の長手方向において、その空間を仕切る隔壁５１ａが設けられている。この隔壁５１ａにより、ダストボックス５内の空間の長手方向が鉛直方向となったときであっても、ダストボックス５内の塵埃が１箇所に溜まる量を抑制することができる。
【００７０】
また、内側壁部５１には、ブラシ４５の繊維４５ｂに付着した塵埃を除去する除塵体６が設けられる。内側壁部５１には、除塵体６が内側壁部５１に取り付けられるために、移動規制片５１ｂと突部５１ｃが設けられている。移動規制片５１ｂは、内側壁部５１を変形させて形成されるとともに、突部５１ｃは、内側壁部５１の表面を膨らませて形成されている。突部５１ｃが除塵体６に設けられた貫通孔６１に挿通された状態で、除塵体６の移動が移動規制片５１ｂにより規制される。
【００７１】
右側壁部５２は、ダストボックス５がケース４１に取り付けられた状態において、内側壁部５１の右側端部に接続されるとともに、内側壁部５１の右側端部から外方に向けて延びる。このように右側壁部５２は、ダストボックス５において右側に設けられる。
【００７２】
前側壁部５３は、ダストボックス５がケース４１に取り付けられた状態において、内側壁部５１の前側端部に接続されるとともに、内側壁部５１の前側端部から外方に向けて延びる。このように前側壁部５３は、ダストボックス５において前側に設けられ、右側壁部５２と接続されている。
【００７３】
後側壁部５４は、ダストボックス５がケース４１に取り付けられた状態において、内側壁部５１の後側端部に接続されるとともに、内側壁部５１の後側端部から外方に向けて延びる。このように後側壁部５４は、ダストボックス５において後側に設けられ、右側壁部５２と接続されている。
【００７４】
円柱状の軸部５５は、右側壁部５２において、ダストボックス５内の空間の長手方向（即ち、ダストボックス５がケース４１に取り付けられた状態における前後方向）の両端部に設けられている。
【００７５】
外側ケース５Ｂは、ダストボックス５内の空間を形成する壁として、外側壁部５６を有している。また、外側ケース５Ｂは、ブラシ４５を覆うためのブラシカバー部５７と、ケース５Ａ，５Ｂが回動可能に連結されるための軸支持部５８と、ダストボックス５をケース４１に対して回動可能に取り付けるための取付部５９とを有している。
【００７６】
外側壁部５６は、ダストボックス５がケース４１に取り付けられたときに、ダストボックス５において外側に設けられる。外側壁部５６には、ダストボックス５内の空間を左右方向において仕切る隔壁５７ａが設けられている。この隔壁５７ａにより、ダストボックス５内の空間から塵埃が流出することを抑制することができる。
【００７７】
また、外側壁部５６には、内側ケース５Ａと外側ケース５Ｂとが閉じた状態を維持するために係止片５７ｂが設けられている。係止片５７ｂは、ダストボックス５内に空間が形成されるように内側ケース５Ａと外側ケース５Ｂとが閉じたときに、内側ケース５Ａの隔壁５１ａの先端に設けられた突出部５１ｄと係合するように形成されている。係止片５７ｂが突出部５１ｄと係合することにより、内側ケース５Ａに対する外側ケース５Ｂの回動が係止される。
【００７８】
ブラシカバー部５７は、ブラシ４５が設けられる方向に外側壁部５６を延ばして形成されている。ダストボックス５がケース４１に取り付けられることにより、ケース４１内に設けられた回転軸４３及びブラシ４５が、ブラシカバー部５７により覆われる。ダストボックス５がケース４１に取り付けられたときには、ダストボックス５のブラシカバー部５７がねじ止めによりケース４１に固定される。
【００７９】
軸支持部５８は、ダストボックス５内の空間の長手方向の両端部に軸部５５と対応させて設けられている。外側ケース５Ｂの軸支持部５８により、内側ケース５Ａの軸部５５の外周が支持されることにより、ケース５Ａ，５Ｂが回動可能に連結されている。
【００８０】
取付部５９は、外側ケース５Ｂの後側端部と前側端部とに設けられている。取付部５９は、小判形状の突起と、この突起から前後方向において突出した円柱状の突起とにより形成されている。このような取付部５９がケース４１によって支持されることにより、ダストボックス５がケース４１に取り付けられる。
【００８１】
以上のように構成されたダストボックス５は、内側壁部５１と右側壁部５２と前側壁部５３と後側壁部５４とにより形成されるとともに、左方に向けて開口する空間を有している。従って、塵埃を溜めるダストボックス５は、ケース４１に取り付けられたときに、ブラシ４５に向けて開く開口を有している。ダストボックス５の開口は、前後方向において延びて設けられ、ブラシ４５の繊維４５ｂに付着した塵埃を溜めるように構成されている。
【００８２】
なお、ダストボックス５が開口する方向は、ランプ２１ａ，２１ｂ，２１ｃ，２１ｄの光軸Ｌ１，Ｌ２が延びる方向と同じであるため、光軸Ｌ１，Ｌ２を水平方向に平行に設けた場合には、ダストボックス５は水平方向に向けて開口する。このとき、ダストボックス５から塵埃が流出する可能性は低い。
【００８３】
また、本実施形態においては、ダストボックス５には除塵体６が取り付けられている。具体的には、除塵体６は、内側ケース５Ａの左側端部に設けられている。除塵体６は、ダストボックス５がケース４１に取り付けられたときに、ブラシ４５の繊維４５ｂに入るように設けられるとともに、ダストボックス５内に向けて設けられる表面６２を有している。従って、ブラシ４５が回転することにより、ブラシ４５の繊維４５ｂから埃が除去される。なお、除塵体６の左側端部は、鋸状に形成されているため、ブラシ４５に付着した塵埃を効果的に除去することができる。
【００８４】
以上のように、エアフィルタ装置３は、エアフィルタ３４と、ブラシ４５と、ブラシ４５に付着した塵埃を溜めるダストボックス５と、ブラシ４５を回転させる回転軸４３と、回転軸４３の回転によってブラシ４５及びダストボックス５を推進させる推進機構としてラック３５，３６及びピニオン４３Ａ，４３Ｂとを備えている。
【００８５】
このため、ブラシ４５を回転させる回転軸４３が回転することによって、回転軸４３の回転力が、ラック３５，３６に噛み合うピニオン４３Ａ，４３Ｂに伝達される。そして、左右方向に沿って設けられたラック３５，３６に沿って、ブラシ４５及びダストボックス５が推進する。
【００８６】
そして、本実施形態においては、上述のごとく、ブラシ４５がワンウェイクラッチ４４を介して回転軸４３に接続されている。このようにして、所定の方向への回転力を回転軸４３からブラシ４５に伝達させて、反対の方向への回転力を回転軸４３からブラシ４５に伝達させないように構成されている。以下、回転軸４３及びブラシ４５の回転について、図１０及び図１１を参照しながら説明する。なお、図１０及び図１１は、図５のＡ−Ａ矢視断面を示す模式図であって、図中の符号Ｄは塵埃を表している。
【００８７】
図１０に示すように、矢印Ｒ１１が示す方向に回転軸４３が回転することにより、ブラシ４５及びダストボックス５を左方に推進させるように、回転軸４３の回転力が推進機構のピニオン４３Ａ，４３Ｂに伝達される。さらに、矢印Ｒ１１が示す方向に回転軸４３が回転することによって、ハウジング４４ａ及び外輪４４ｂは、図８中の矢印Ｒ１が示す方向に回転する。このとき、ハウジング４４ａ及び外輪４４ｂとブラシ４５との間に、ころ４４ｃがくさびとして設けられているため、ハウジング４４ａ及び外輪４４ｂ及びブラシ４５の軸部材４５ａが一体となって回転して、ワンウェイクラッチ４４を介してブラシ４５に伝達される。従って、ブラシ４５は、ブラシ４５の繊維４５ｂに付着している埃を除塵体６の表面６２に運搬する方向（即ち、矢印Ｒ２１が示す方向）に回転して、ブラシ４５の繊維４５ｂに付着している埃が、除塵体６で除去されて、ダストボックス５内に流入する。
【００８８】
以上のように、ブラシ４５及びダストボックス５を含む掃除ユニット４が左方に移動するときに、回転するブラシ４５によってエアフィルタ３４が掃除されて、ブラシ４５に付着した塵埃がダストボックス５内に流入することにより、塵埃がダストボックス５に溜められる。そして、掃除ユニット４が基材３１の左側端部まで移動して掃除が完了すると、掃除ユニット４は右方に移動する。
【００８９】
図１１に示すように、ブラシ４５及びダストボックス５を右方に推進させるときには、矢印Ｒ１２が示す方向（即ち、矢印Ｒ１１とは反対の方向）に回転軸４３が回転して、回転軸４３の回転力が推進機構のピニオン４３Ａ，４３Ｂに伝達される。矢印Ｒ１２が示す方向に回転軸４３が回転することによって、ハウジング４４ａ及び外輪４４ｂは、図８中の矢印Ｒ２が示す方向に回転する。このときに、ころ４４ｃはばね４４ｅの付勢力に抗して移動することによって、くさびとして機能しなくなる。そして、ころ４４ｃは外輪４４ｂとブラシ４５とに接触して転がる。このようにして、回転軸４３からブラシ４５への回転力の伝達がワンウェイクラッチ４４により切断される。
【００９０】
従って、本実施形態においては、ブラシ４５及びダストボックス５を右方に推進させるとき、即ち、矢印Ｒ１２が示す方向に回転軸４３が回転するときに、ブラシ４５が図１１中の矢印Ｒ２２に示す方向に回転しない。
【００９１】
仮にブラシ４５がワンウェイクラッチ４４を介さずに回転軸４３に接続されていれば、ブラシ４５及びダストボックス５を右方に推進させるときに、図１２中の矢印Ｒ２２が示す方向にブラシ４５が回転する。
【００９２】
図１２中の矢印Ｒ２２が示す方向は、繊維４５ｂに付着している埃を除塵体６の表面６２と対向した表面６３に運搬する方向である。従って、矢印Ｒ２２が示す方向にブラシ４５が回転することによって、図１２（ａ）に示すようにブラシ４５の繊維４５ｂに付着している埃が運搬されて、図１２（ｂ）に示すようにダストボックス５内に向けて設けられない表面６３によってブラシ４５から塵埃が除去されることにより、ブラシ４５からエアフィルタ３４に塵埃が移るおそれがある。このように、矢印Ｒ２１と反対の方向である矢印Ｒ２２が示す方向は、ダストボックス５に塵埃が溜まらない方向である。
【００９３】
本実施形態によれば、以下の効果を得ることができる。
（１）エアフィルタ装置３は、エアフィルタ３４と、ブラシ４５と、ダストボックス５と、回転軸４３と、推進機構としてのラック３５，３６及びピニオン４３Ａ，４３Ｂとを備え、ブラシ４５がワンウェイクラッチ４４を介して回転軸４３に接続されている。このため、ブラシ４５を回転させる回転軸４３の回転によって、ブラシ４５及びダストボックス５が左右方向に推進する。そして、ブラシ４５がワンウェイクラッチ４４を介して回転軸４３に接続されているため、所定の方向への回転力を回転軸４３からブラシ４５に伝達させて、反対の方向への回転力を回転軸４３からブラシ４５に伝達させないようにすることが可能である。従って、回転軸４３が矢印Ｒ１１及びＲ１２が示す方向に回転してブラシ４５及びダストボックス５が往復移動するときであっても、回転軸４３からブラシ４５への回転力の伝達がワンウェイクラッチ４４により切断されることによって、図１２中の矢印Ｒ２２が示す方向にブラシ４５を回転させないようにすることができる。よって、ブラシ４５に付着した塵埃がエアフィルタ３４へ移ることを抑制することができる。
【００９４】
（２）エアフィルタ装置３は、推進機構として回転軸４３に設けられた歯車であるピニオン４３Ａ，４３Ｂを備えている。従って、回転軸４３に設けられたピニオン４３Ａ，４３Ｂを、ブラシ４５を推進させる方向である左右方向に沿って設けられたラック３５，３６に噛み合わせて、回転軸４３の回転力が歯車であるピニオン４３Ａ，４３Ｂに伝達されることにより、ラック３５，３６に沿ってブラシ４５とダストボックス５とを推進させることができる。
【００９５】
（３）ワンウェイクラッチ４４は、回転軸４３に接続される回転軸側の機械要素である外輪４４ｂと、外輪４４ｂとブラシ４５とに接触させて設けられるころ４４ｃとを備えている。そして、回転軸４３が一方の方向に回転するときに、外輪４４ｂとブラシ４５との間に、ころ４４ｃがくさびとして設けられ、回転軸４３が反対の方向に回転するときに、外輪４４ｂとブラシ４５とに接触して転がるようにころ４４ｃが設けられている。このような構成により、回転軸４３が一方の方向に回転するときには、ワンウェイクラッチ４４を構成する外輪４４ｂとブラシ４５との間にくさびとして設けられたころ４４ｃを介して、回転軸４３の回転力がブラシ４５に伝達される。また、回転軸４３が反対の方向に回転するときに、外輪４４ｂとブラシ４５と接触してころ４４ｃが転がることによって、回転軸４３からブラシ４５への回転力の伝達が切断される。
【００９６】
（４）エアフィルタ装置３は、ブラシ４５及びダストボックス５が設けられるケース４１を備え、ケース４１には回転軸４３を回転させる電動モータ４２が設けられている。このため、ケース４１に設けられた電動モータ４２により、ブラシ４５とダストボックス５をケース４１とともに推進させることができる。
【００９７】
（５）ダストボックス５は、ケース４１に対して着脱可能に構成されている。このため、ダストボックス５内をメンテナンスする場合には、ケース４１からダストボックス５を取り外して容易にメンテナンスを行うことが可能である。
【００９８】
（６）ダストボックス５には、ブラシ４５に付着している埃を除去する除塵体６が設けられている。このため、除塵体６によりブラシ４５から埃が除去されることにより、ダストボックス５に効率よく塵埃を溜めることができる。
【００９９】
（７）除塵体６は、ダストボックス５内に向けて設けられる表面６２を有し、ワンウェイクラッチ４４は、回転軸４３の回転力を、ブラシ４５に付着した埃を表面６２に運搬する方向に回転させる回転力としてブラシ４５に伝達する。従って、回転軸４３の回転力が伝達されたブラシ４５は、ブラシ４５に付着した埃をダストボックス５内に向けて設けられる除塵体６の表面６２に運搬する方向に回転するため、ブラシ４５から除去された埃は、除塵体６の表面６２に沿ってダストボックス５内に流入する。
【０１００】
（８）ケース４１に対してダストボックス５が装着されている状態においては、ブラシ４５がダストボックス５の一部であるブラシカバー部５７により覆われるため、ブラシ４５に付着した塵埃が、ケース４１の外部へ流出することを抑制することができる。また、ケース４１からダストボックス５が取り外された状態においては、ブラシ４５が露出するため、ダストボックス５をケース４１から取り外すことにより、ブラシ４５のメンテナンスを容易に行うことができる。
【０１０１】
（９）プロジェクタ１は、上記作用効果を奏するエアフィルタ装置３を備えている。従って、エアフィルタ装置３を備えるプロジェクタ１により、上記（１）〜（８）に記載の効果を得ることができる。
【０１０２】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせてもよい。
【０１０３】
・推進機構は、ラック３５，３６及びピニオン４３Ａ，４３Ｂにより構成されていたが、このような歯車により構成されていなくてもよい。例えば、ピニオン４３Ａ，４３Ｂに代えて回転体の外周が円形である車輪（不図示）により、推進機構が構成されていてもよい。
【０１０４】
・ワンウェイクラッチの構成は、上記実施形態に記載されるワンウェイクラッチ４４に限られず、矢印Ｒ２２が示す方向にブラシ４５が回転しないように回転軸４３にブラシ４５が接続されていれば、どのようなワンウェイクラッチを介していてもよい。
【０１０５】
・ブラシ４５及びダストボックス５を右方に推進させるときに回転軸４３からブラシ４５へ回転力が伝達され、ブラシ４５及びダストボックス５を左方に推進させるときに回転軸４３からブラシ４５への回転力の伝達が切断されてもよい。即ち、ブラシ４５及びダストボックス５を左方に推進させるときにブラシ４５は矢印Ｒ２１が示す方向に回転せずに、ブラシ４５及びダストボックス５を右方に推進させるときにブラシ４５は矢印Ｒ２１が示す方向に回転する構成としてもよい。従って、左方及び右方のいずれか一方へのブラシ４５の推進時に、回転軸４３からブラシ４５への回転力の伝達が切断されればよい。
【０１０６】
・プロジェクタ１及びエアフィルタ装置３の構成が左右方向において反転した構成であってもよい。また、プロジェクタ１及びエアフィルタ装置３の構成が前後方向において反転した構成であってもよい。また、ブラシ４５及びダストボックス５が推進する方向は、左右方向に限定されるものではない。
【０１０７】
・本願発明は、４つの光源を備える投写型映像表示装置に限られず、１つの光源を備える投写型映像表示装置や、２つ以上の光源を備える投写型映像表示装置であってもよい。また、投写型映像表示装置は液晶プロジェクタに限られず、例えばＤＭＤ（Digital Micromirror Device）を用いて映像を表示する投写型映像表示装置であってもよい。
【符号の説明】
【０１０８】
１…プロジェクタ（投写型映像表示装置）、２…光学系、３…エアフィルタ装置（エアフィルタ掃除装置）、４…掃除ユニット、５…ダストボックス、５Ａ…内側ケース、５Ｂ…外側ケース、６…除塵体、１０…筐体、１０ｅ…底面、２１ａ，２１ｂ，２１ｃ，２１ｄ…ランプ、２９…投射レンズ、３１…基材、３１ａ…開口、３１ｂ…突起、３２…静電フィルタ、３４…エアフィルタ、３４Ａ…枠部材、３５…第１のラック、３６…第２のラック、３７…コネクタ、３８…パネル、４１…ケース、４１ａ…モータ収容部、４１ｂ…回転軸収容部、４１ｃ…動力伝達機構収容部、４２…電動モータ、４２Ａ…モータカバー、４２Ｂ…プリント配線板、４２ａ…出力軸、４２ｂ…かさ歯車、４３…回転軸、４３Ａ…第１のピニオン（推進機構を構成する歯車）、４３Ｂ…第２のピニオン（推進機構を構成する歯車）、４３ａ…かさ歯車、４３ｂ…平歯車、４４…ワンウェイクラッチ、４４ａ…ハウジング、４４ｂ…外輪、４４ｃ…ころ、４４ｄ…保持器、４４ｅ…ばね、４５…ブラシ、４５ａ…軸部材、４５ｂ…繊維、４６，４７…カバー、４８，４９…樹脂部材、５１…内側壁部、５１ａ…隔壁、５１ｂ…移動規制片、５１ｃ…突部、５１ｄ…突出部、５２…右側壁部、５３…前側壁部、５４…後側壁部、５５…軸部、５６…外側壁部、５７…ブラシカバー部、５７ａ…隔壁、５７ｂ…係止片、５８…軸支持部、５９…取付部、６１…貫通孔、６２…表面、６３…表面、Ｄ…塵埃。
【図１】
2011255300.tif 000003
【図２】
2011255300.tif 000004
【図３】
2011255300.tif 000005
【図４】
2011255300.tif 000006
【図５】
2011255300.tif 000007
【図６】
2011255300.tif 000008
【図７】
2011255300.tif 000009
【図８】
2011255300.tif 000010
【図９】
2011255300.tif 000011
【図１０】
2011255300.tif 000012
【図１１】
2011255300.tif 000013
【図１２】
2011255300.tif 000014